(57)【要約】【課題】両検査窓開放状態で片眼だけ矯正データを変更したいときに、専用のプログラムを必要とせず、１ステップで矯正データの変更のセットができる自覚式検眼装置を提供すること。【解決手段】コントローラ１０は、左の検査対象眼切替ボタン（[Ｌ]ボタン１４Ｌ）の操作時に、左右の検査窓の開放条件設定がなされた場合、左右の検査窓７Ｌ，７Ｒを開いて、左眼を前記屈折矯正レンズによる検査対象眼に設定するようになっている。また、コントローラ１０は、右の検査対象眼切替ボタン（[Ｒ]ボタン１４Ｒ）の操作時に、左右の検査窓７Ｌ，７Ｒの開放条件設定がなされた場合、左右の検査窓７Ｌ，７Ｒを開いて、右眼を前記屈折矯正レンズによる検査対象眼に設定するようになっている。【選択図】図１
2008272030.tif 000002
【特許請求の範囲】
【請求項１】
検眼窓を有し且つ複数の屈折矯正レンズがレンズ駆動手段で選択的に前記検眼窓に配設可能な左右の検眼ユニットと、前記左右の検眼窓をそれぞれ開閉可能な左右の遮蔽部材と、前記左右の遮蔽部材をそれぞれ駆動して前記各検眼窓をそれぞれ開閉させる左右の遮蔽用駆動手段と、前記左右の遮蔽用駆動手段に対応してそれぞれ設けられた左右の検査対象眼切替ボタンと、前記両検査対象眼切替ボタンの一方の操作により前記一方の遮蔽用駆動手段を作動制御して前記一方の検眼窓を開放し且つ他方の遮蔽用駆動手段を作動制御して他方の検眼窓を遮蔽するコントローラを備える自覚式検眼装置であって、
前記コントローラは、前記左の検査対象眼切替ボタンの操作時に、前記左右の検査窓の開放条件設定がなされた場合、前記左右の検査窓を開いて、左眼を前記屈折矯正レンズによる検査対象眼に設定する一方、
前記右の検査対象眼切替ボタンの操作時に、前記左右の検査窓の開放条件設定がなされた場合、前記左右の検査窓を開いて、右眼を前記屈折矯正レンズによる検査対象眼に設定とすることを特徴とする自覚式検眼装置。
【請求項２】
請求項１に記載の自覚式検眼装置において、前記左右の検査窓の開放条件設定は、前記左又は右の検査対象眼切替ボタンの操作時に他の特定の操作ボタンを同時に操作することによりなされることを特徴とする自覚式検眼装置。
【請求項３】
請求項１に記載の自覚式検眼装置において、前記左右の検査窓の開放条件設定は、前記左又は右の検査対象眼切替ボタンを所定時間以上ＯＮ操作することによりなされることを特徴とする自覚式検眼装置。
【発明の詳細な説明】
【技術分野】
【０００１】
この発明は、左右の検眼ユニットの検眼窓を検眼内容に応じて遮蔽・開放をする自覚式検眼装置に関するものである。
【背景技術】
【０００２】
自覚式検眼装置は、検眼窓を有する左右一対の検眼ユニットと、検眼窓を介して視認させる視標を呈示させる指標呈示装置と、この検眼ユニット及び指標呈示装置を操作するコントローラ等を備えているのが普通である（例えば特許文献１参照）。
【０００３】
この検眼ユニットは、複数の屈折矯正レンズをレンズ駆動手段で選択的に前記検眼窓に配設可能になっている。また、検眼ユニットの検眼窓は、遮蔽用駆動手段により駆動制御される遮蔽部材で開閉（遮蔽・開放）可能となっている。
【０００４】
更に、コントローラはキーボードと液晶表示器及びこれらを制御する演算制御回路を有する。また、キーボードには左右の遮蔽用駆動手段に対応する検査対象眼切替用の[Ｒ]ボタン，[Ｌ]ボタンが設けられている。
【０００５】
この構成で、例えば[R]ボタンを押せば右眼が検査対象として選択されたこととなり、[L]ボタンを押せば左眼が検査対象として選択されたこととなる。
【０００６】
これらの[Ｒ]ボタン，[L]ボタンを押したときの動作は実行している検査により異なる。
【０００７】
例えば通常の視力チャートを用いた視力検査を行っている場合には、[R]を押せば右眼が開放され左眼が遮蔽される。また、屈折レンズの変更対象は右眼に設定される。同様の検査で[L]を押せば、左眼が開放され右眼が遮蔽される。また、屈折レンズの変更対象は左眼に設定される。
【０００８】
一方、両眼バランス検査を行っているときには、検査の性質上両眼を開放した状態で屈折レンズを左右独立して変更する必要がある。そのため、このときに[R]を押せば、両眼開放のまま屈折レンズの変更対象のみを右眼に変更し、[L]を押せば両眼開放のまま屈折レンズの変更対象のみを左眼に変更する。
【特許文献１】特開２００７−６１３８０号公報
【発明の開示】
【発明が解決しようとする課題】
【０００９】
上記のように、検査ごとに[R]ボタン又は[L]ボタンを押したときの挙動が異なるのは、それぞれの検査を実行したときの最も一般的な動作をプログラムしていることによる。
【００１０】
従って、例えば視力チャートを使って、両眼開放状態（両検査窓開放状態）で右眼だけ矯正データを変更したいときには、それ専用の検査をプログラムするか、或いは一旦[R]ボタンを押して右眼を屈折レンズの変更対象とし右眼開放（右検査窓開放）・左眼遮蔽（左検査窓遮蔽）にセットされた後に、左眼の遮蔽を開放するという2つのステップを踏む必要がある。前者の場合には、専用の検査プログラムが必要なので、検査プログラムの容量が大きくなるものであった。また、後者の場合には、2つのステップを踏む必要があるので、セットに時間がかかるものであった。
【００１１】
そこで、この発明は、両検査窓開放状態で片眼だけ矯正データを変更したいときに、専用のプログラムを必要とせず、１ステップで矯正データの変更のセットができる自覚式検眼装置を提供することを目的とするものである。
【課題を解決するための手段】
【００１２】
この目的を達成するため、この発明は、検眼窓を有し且つ複数の屈折矯正レンズがレンズ駆動手段で選択的に前記検眼窓に配設可能な左右の検眼ユニットと、前記左右の検眼窓をそれぞれ開閉可能な左右の遮蔽部材と、前記左右の遮蔽部材をそれぞれ駆動して前記各検眼窓をそれぞれ開閉させる左右の遮蔽用駆動手段と、前記左右の遮蔽用駆動手段に対応してそれぞれ設けられた左右の検査対象眼切替ボタンと、前記両検査対象眼切替ボタンの一方の操作により前記一方の遮蔽用駆動手段を作動制御して前記一方の検眼窓を開放し且つ他方の遮蔽用駆動手段を作動制御して他方の検眼窓を遮蔽するコントローラを備える自覚式検眼装置であって、前記コントローラは、前記左の検査対象眼切替ボタンの操作時に、前記左右の検査窓の開放条件設定がなされた場合、前記左右の検査窓を開いて、左眼を前記屈折矯正レンズによる検査対象眼に設定する一方、
前記右の検査対象眼切替ボタンの操作時に、前記左右の検査窓の開放条件設定がなされた場合、前記左右の検査窓を開いて、右眼を前記屈折矯正レンズによる検査対象眼に設定する自覚式検眼装置としたことを特徴とする。
【発明の効果】
【００１３】
この構成によれば、両検査窓開放状態で片眼だけ矯正データを変更したいときに、専用のプログラムを必要とせず、１ステップで矯正データの変更のセットができる。
【発明を実施するための最良の形態】
【００１４】
以下、この発明の実施の形態を図面に基づいて説明する。
【００１５】
図１において、１は自覚式検眼装置、２は自覚式検眼装置１の検眼テーブル、３は検眼テーブル２の側部に設けられた支柱である。この支柱３は、上下に延び且つ上下に延びる軸線周りに回動可能に検眼テーブル２に取り付けられていると共に、上下動可能に検眼テーブル２に取り付けられている。この構成には周知の構成が採用できるので、その詳細な説明は省略する。また、４は支柱３に取り付けられた支持アーム、５は支持アーム４に取り付けられた支持部材、６は支持部材４に支持される検眼装置本体である。
【００１６】
この検眼装置本体６は、支持部材５に左右方向に相対接近・離反可能に取り付けられた左右の検眼ユニット６Ｌ，６Ｒを有する。また、この検眼ユニット６Ｌ，６Ｒには検眼窓７Ｌ，７Ｒが設けられている。
【００１７】
この左右の検眼ユニット６Ｌ，６Ｒ内には、左右の検眼窓７Ｌ，７Ｒに配設されて検眼窓７Ｌ，７Ｒをそれぞれ開閉（遮蔽・開放）する遮光部材（図示せず）が配設されている。この左右の遮光部材（図示せず）は、図２の遮蔽用駆動手段８Ｌ，８Ｒにより駆動されて、検眼窓７Ｌ，７Ｒに配設されるようになっている。
【００１８】
また、検眼ユニット６Ｌ，６Ｒ内には、検眼窓７Ｌ，７Ｒに選択的に配設して検眼に用いる多数の光学部材（図示せず）が配設されている。この光学部材（図示せず）としては、例えば図２のレンズ駆動手段９Ｌ，９Ｒで選択的に検眼窓７Ｌ，７Ｒに配設可能な複数の屈折矯正レンズ（図示せず）がある。尚、屈折矯正レンズ（図示せず）以外の多数の光学部材も図示しない駆動手段で検眼窓７Ｌ，７Ｒに選択的に配設されるようになっている。尚、この構成には周知の構成を採用できるので、その詳細な説明は省略する。
【００１９】
また、自覚式検眼装置１は、検眼テーブル２上に配設されたコントローラ１０と、検眼テーブル２から所定距離の位置に配設された視標呈示装置１１を有する。このコントローラ１０は、図３に示したように、画面操作手段としてのキーボード１２、及び検者用の液晶表示器１３を有する。このキーボード１２内には図２に示した演算制御回路１２ａを有するＰＣ基板（図示せず）が配設されている。
【００２０】
尚、１３ａは液晶表示器１３の表示画面である。また、この表示画面１３ａには、図４〜図８に示したように、図１の検眼ユニット６Ｌ，６Ｒに対応するユニット画像６Ｌ′，６Ｒ′が表示されていると共に、図１の検眼窓７Ｌ，７Ｒに対応する検眼窓像７Ｌ′，７Ｒ′が瞳孔間距離ＰＤの表示の両側に表示されている。この表示において、検眼窓像７Ｌ′，７Ｒ′の部分が白抜きの場合は検眼窓７Ｌ，７Ｒが遮蔽部材により遮蔽されていない開放状態を示し、検眼窓像７Ｌ′，７Ｒ′の部分が灰色の場合は検眼窓７Ｌ，７Ｒが遮蔽部材により遮蔽されている遮蔽状態を示す。ここで、検眼窓像７Ｌ′，７Ｒ′の白抜きや灰色等の色の表示は説明の便宜上の一例を示したもので、白抜きや灰色以外の色で検眼窓７Ｌ，７Ｒの開放状態や遮蔽状態を示しても良い。
【００２１】
しかも、キーボード１２には、図３に示したように、左右の遮蔽用駆動手段８Ｌ，８Ｒに対応してそれぞれ設けられた左右の検査対象眼切替用の[Ｌ]ボタン１４Ｌ及び[Ｒ]ボタン１４Ｒと、[Ｌ]ボタン１４Ｌと[Ｒ]ボタン１４Ｒとの間に配設された[Ｂ]ボタン１５が設けられている。この[Ｂ]ボタン１５は、検眼窓７Ｌ，７Ｒを開放して両眼を検査対象眼とするのに用いられる。
【００２２】
更に、キーボード１２には、特殊キー（特殊ボタン）であるシフトキー（「Shift」キー、即ちシフトボタン）１６が設けられている。また、キーボード１２には、ダイヤル１７，メニューボタン１８，水平切替ボタンＨ，垂直切替ボタンＶ，球面度数用ボタンＳ，円柱度数用ボタンＣ，軸角度用ボタンＡ，瞳孔間距離用ボタンＰＤ，加入度数用ボタンＡＤＤ，プログラム用ボタンＰｒｏｇ，等その他多数のボタンが設けられている。
【００２３】
この演算制御回路１２ａには、キーボード１２及び液晶表示器１３が接続されていると共に、視標呈示装置１１が接続されている。この視標呈示装置１１の表示画面１１ａには、画像信号（映像信号）により検眼用の視標を表示させる液晶表示器やプラズマディスプレイ等の表示装置が用いられている。また、この演算制御回路１２ａには、画面操作手段としてのマウス１７が接続されている。更に、図２に示したように演算制御回路１２ａには、ブザー１８が接続されている。
【００２４】
そして、演算制御回路１２ａは、キーボード１２やマウス１７の操作により、液晶表示器１３や視標呈示装置１１に呈示（表示）させる視標を選択できるようになっている。また、演算制御回路１２ａは、キーボード１２やマウス１７の操作により、検眼ユニット６Ｌ，６Ｒ内の多数の光学部材（図示せず）を図示しない駆動手段で検眼窓７Ｌ，７Ｒに選択的に配設できるようになっている。この構成には、周知の構成を採用できるので、その詳細な説明は省略する。
【００２５】
また、演算制御回路１２ａは、ダイヤル１７を「＋」方向（反時計回り方向）又は「−」方向（時計回り方向）に回転させることで、レンズ駆動手段９Ｌ又は９Ｒを作動制御して、現在選択され且つ検眼窓７Ｌ又は７Ｒに配設される屈折レンズの度数を所定度数毎に変更できるようになっている。
【００２６】
更に、演算制御回路１２ａは、例えば、シフトキー１６とダイヤル１７とを組み合わせて使用することにより、ダイヤル１７を「＋」方向（反時計回り方向）又は「−」方向（時計回り方向）に回転させることで、レンズ駆動手段９Ｌ又は９Ｒを作動制御して、現在選択され且つ検眼窓７Ｌ又は７Ｒに配設される屈折レンズの度数を上述とは異なる度数毎に変更できるようになっている。
【００２７】
尚、図１において、１９はコントローラ１０を操作する検者、２０は検眼窓７Ｌ，７Ｒを介して視標呈示装置１１の表示画面１１ａを視認している被検者である。
＜[Ｌ]ボタン１４Ｌ又は[Ｒ]ボタン１４Ｒのみの操作＞
また、コントローラ１０即ち演算制御回路１２ａは、[Ｒ]ボタン１４ＲのみをＯＮ操作したとき、右の遮蔽用駆動手段８Ｒを作動制御して、図示しない遮光部材により検眼ユニット６Ｒの検眼窓７Ｒを開く（開放する）と共に、左の遮蔽用駆動手段８Ｌを作動制御して、図示しない遮光部材により検眼ユニット６Ｌの検眼窓７Ｌを遮蔽する。
【００２８】
この状態は、図４に示したように、検者用の表示画面１３ａに表示されることで、図１の検者１９が知ることができる。即ち、図４において、検眼窓像７Ｒ′が白抜きであることで、検眼窓７Ｒが開放状態にあり、検眼窓像７Ｌ′が灰色であることで、検眼窓７Ｌが遮蔽状態にあることを知ることができる。
【００２９】
しかも、演算制御回路１２ａは、[Ｒ]ボタン１４ＲのみをＯＮ操作したとき、レンズ駆動手段９Ｒを作動制御して、屈折矯正レンズを右の検査窓７Ｒに配設するようになっている。そして、このようなセットが完了すると、演算制御回路１２ａはブザー１８によりビープ音を１回鳴らして、操作が完了したことを検者１９に音で知らせる。
【００３０】
更に、コントローラ１０即ち演算制御回路１２ａは、[Ｌ]ボタン１４Ｌのみを同時にＯＮ操作したとき、左の遮蔽用駆動手段８Ｌを作動制御して、図示しない遮光部材により検眼ユニット６Ｌの検眼窓７Ｌを開く（開放する）と共に、右のの遮蔽用駆動手段８Ｒを作動制御して、図示しない遮光部材により検眼ユニット６Ｒの検眼窓７Ｒを遮蔽する。
【００３１】
この状態は、図５に示したように、検者用の表示画面１３ａに表示されることで、図１の検者１９が知ることができる。即ち、図５において、検眼窓像７Ｌ′が白抜きであることで、検眼窓７Ｌが開放状態にあり、検眼窓像７Ｒ′が灰色であることで、検眼窓７Ｒが遮蔽状態にあることを知ることができる。
【００３２】
しかも、演算制御回路１２ａは、レンズ駆動手段９Ｌを作動制御して、屈折矯正レンズを左の検査窓７Ｌに配設するようになっている。そして、このようなセットが完了すると、演算制御回路１２ａはブザー１８によりビープ音を１回鳴らして、操作が完了したことを検者１９に音で知らせる。
＜[Ｂ]ボタン１５の操作＞
また、コントローラ１０即ち演算制御回路１２ａは、[Ｂ]ボタン１５のみをＯＮ操作したとき、左右の遮蔽用駆動手段８Ｌ，８Ｒを作動制御して、図示しない遮光部材により検眼ユニット６Ｌ，６Ｒの検眼窓７Ｌ，７Ｒを開く（開放する）。
【００３３】
この状態は、図６に示したように、検者用の表示画面１３ａに表示されることで、図１の検者１９が知ることができる。即ち、図６において、検眼窓像７Ｌ′，７Ｒ′が白抜きであることで、検者１９は検眼窓７Ｌ，７Ｒが開放状態にあるを表示状態から知ることができる。
【００３４】
また、演算制御回路１２ａは、[Ｂ]ボタン１５のみをＯＮ操作したとき、レンズ駆動手段９Ｌ，９Ｒを作動制御して、屈折矯正レンズを左右の検査窓７Ｌ，７Ｒに配設するようになっている。しかも、このようなセットが完了すると、演算制御回路１２ａはブザー１８によりビープ音を１回鳴らして、操作が完了したことを検者１９に音で知らせる。
＜[Ｌ]ボタン１４Ｌ又は[Ｒ]ボタン１４Ｒとシフトキー１６との同時操作＞
また、コントローラ１０即ち演算制御回路１２ａは、シフトキー１６と[Ｒ]ボタン１４Ｒを同時にＯＮ操作したとき、左右の遮蔽用駆動手段８Ｌ，８Ｒを作動制御して、図示しない遮光部材により検眼ユニット６Ｌ，６Ｒの検眼窓７Ｌ，７Ｒを開く（開放する）。
【００３５】
この状態は、図７に示したように、検者用の表示画面１３ａに表示されることで、図１の検者１９が知ることができる。即ち、図７において、検眼窓像７Ｌ′，７Ｒ′が白抜きであることで、検者１９は検眼窓７Ｌ，７Ｒが開放状態にあるを表示状態から知ることができる。
【００３６】
しかも、演算制御回路１２ａは、シフトキー１６と[Ｒ]ボタン１４Ｒを同時にＯＮ操作したとき、レンズ駆動手段９Ｒを作動制御して、屈折矯正レンズを右の検査窓７Ｒに配設するようになっている。しかも、このようなセットが完了すると、演算制御回路１２ａはブザー１８によりビープ音を２回鳴らして、操作が完了したことを検者１９に音で知らせる。
【００３７】
更に、コントローラ１０即ち演算制御回路１２ａは、シフトキー１６と[Ｌ]ボタン１４Ｌを同時にＯＮ操作したとき、左右の遮蔽用駆動手段８Ｌ，８Ｒを作動制御して、図示しない遮光部材により検眼ユニット６Ｌ，６Ｒの検眼窓７Ｌ，７Ｒを開く（開放する）。
【００３８】
この状態は、図８に示したように、検者用の表示画面１３ａに表示されることで、図１の検者１９が知ることができる。即ち、図８において、検眼窓像７Ｌ′，７Ｒ′が白抜きであることで、検者１９は検眼窓７Ｌ，７Ｒが開放状態にあるを表示状態から知ることができる。
【００３９】
しかも、演算制御回路１２ａは、シフトキー１６と[Ｌ]ボタン１４Ｌを同時にＯＮ操作したとき、レンズ駆動手段９Ｌを作動制御して、屈折矯正レンズを左の検査窓７Ｌに配設するようになっている。しかも、このようなセットが完了すると、演算制御回路１２ａはブザー１８によりビープ音を２回鳴らして、操作が完了したことを検者１９に音で知らせる。
（変形例１）
以上説明した実施例では、特殊キー（特殊ボタン）であるシフトキー１６と検査対象眼切替ボタンである[Ｌ]ボタン１４Ｌ又は[Ｒ]ボタン１４Ｒを同時に押すことで、左右の検眼窓７Ｌ，７Ｒを同時に開放すると共に、左右の検眼窓７Ｌ又は７Ｒの一方に屈折矯正レンズを配設して、一方の被検眼の屈折測定を行えるようにしたが、必ずしもこれに限定されるものではない。即ち、シフトキー１６以外のキー（ボタン）と検査対象眼切替ボタンである[Ｌ]ボタン１４Ｌ又は[Ｒ]ボタン１４Ｒを同時に押すことで、同様な屈折測定を行えるようにすることもできる。
（変形例２）
また、検査対象眼切替ボタンである[Ｌ]ボタン１４Ｌ又は[Ｒ]ボタン１４Ｒを所定時間押し続けた時に、左右の検眼窓７Ｌ，７Ｒを同時に開放すると共に、左右の検眼窓７Ｌ又は７Ｒの一方に屈折矯正レンズを配設して、一方の被検眼の屈折測定を行えるようにすることもできる。
【００４０】
以上説明したように、この発明の実施の形態の自覚式検眼装置１は、検眼窓７Ｌ，７Ｒを有し且つ複数の屈折矯正レンズがレンズ駆動手段で選択的に前記検眼窓に配設可能な左右の検眼ユニット６Ｌ，６Ｒと、前記左右の検眼窓７Ｌ，７Ｒをそれぞれ開閉可能な左右の遮蔽部材と、前記左右の遮蔽部材をそれぞれ駆動して前記各検眼窓をそれぞれ開閉させる左右の遮蔽用駆動手段８Ｌ，８Ｒを備えている。また、自覚式検眼装置１は、前記左右の遮蔽用駆動手段８Ｌ，８Ｒに対応してそれぞれ設けられた左右の検査対象眼切替ボタン（[Ｌ]ボタン１４Ｌ，[Ｒ]ボタン１４Ｒ）と、前記両検査対象眼切替ボタン（[Ｌ]ボタン１４Ｌ，[Ｒ]ボタン１４Ｒ）の一方の操作により前記一方の遮蔽用駆動手段（８Ｌ又は８Ｒ）を作動制御して前記一方の検眼窓（７Ｌ又は７Ｒ）を開放し且つ他方の遮蔽用駆動手段（８Ｌ又は８Ｒ）を作動制御して他方の検眼窓（７Ｌ又は７Ｒ）を遮蔽するコントローラ１０を備えている。しかも、前記コントローラ１０は、前記左の検査対象眼切替ボタン（[Ｌ]ボタン１４Ｌ）の操作時に、前記左右の検査窓の開放条件設定がなされた場合、前記左右の検査窓７Ｌ，７Ｒを開いて、左眼を前記屈折矯正レンズによる検査対象眼に設定するようになっている。また、コントローラ１０は、前記右の検査対象眼切替ボタン（[Ｒ]ボタン１４Ｒ）の操作時に、前記左右の検査窓７Ｌ，７Ｒの開放条件設定がなされた場合、前記左右の検査窓７Ｌ，７Ｒを開いて、右眼を前記屈折矯正レンズによる検査対象眼に設定するようになっている。
【００４１】
この構成によれば、両検査窓開放状態で片眼だけ矯正データを変更したいときに、専用のプログラムを必要とせず、１ステップで矯正データの変更のセットができる。
【００４２】
また、この発明の実施の形態の自覚式検眼装置において、前記左右の検査窓７Ｌ，７Ｒの開放条件設定は、前記左又は右の検査対象眼切替ボタン（[Ｌ]ボタン１４Ｌ又は[Ｒ]ボタン１４Ｒ）の操作時に他の特定の操作ボタン（シフトキー１６）を同時に操作することによりなされるようになっている。
【００４３】
この構成によれば、簡単な構成で、両検査窓開放状態で片眼だけ矯正データを変更したいときに、専用のプログラムを必要とせず、１ステップで矯正データの変更のセットができる。
【００４４】
また、この発明の実施の形態の自覚式検眼装置において、前記左右の検査窓の開放条件設定は、前記左又は右の検査対象眼切替ボタン（[Ｌ]ボタン１４Ｌ又は[Ｒ]ボタン１４Ｒ）を所定時間以上ＯＮ操作することによりなされるようになっている。
【００４５】
この構成によれば、簡単な操作で、両検査窓開放状態で片眼だけ矯正データを変更したいときに、専用のプログラムを必要とせず、１ステップで矯正データの変更のセットができる。
【図面の簡単な説明】
【００４６】
【図１】この発明に係る自覚式検眼装置の概略斜視図である。
【図２】図１のコントローラの制御回路図である。
【図３】図１のコントローラの説明図である。
【図４】図３のコントローラに設けられた液晶表示器の表示画面の説明図である。
【図５】図３のコントローラに設けられた液晶表示器の表示画面の説明図である。
【図６】図３のコントローラに設けられた液晶表示器の表示画面の説明図である。
【図７】図３のコントローラに設けられた液晶表示器の表示画面の説明図である。
【図８】図３のコントローラに設けられた液晶表示器の表示画面の説明図である。
【符号の説明】
【００４７】
１・・・自覚式検眼装置
７Ｌ，７Ｒ・・・検眼窓
６Ｌ，６Ｒ・・・検眼ユニット
８Ｌ，８Ｒ・・・遮蔽用駆動手段
９Ｌ，９Ｒ・・・レンズ駆動手段
１４Ｌ・・・[Ｌ]ボタン
１４Ｒ・・・[Ｒ]ボタン
【図１】
2008272030.tif 000003
【図２】
2008272030.tif 000004
【図３】
2008272030.tif 000005
【図４】
2008272030.tif 000006
【図５】
2008272030.tif 000007
【図６】
2008272030.tif 000008
【図７】
2008272030.tif 000009
【図８】
2008272030.tif 000010